【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
緊急視界確保装置であって、
ａ） 折り畳み可能なチューブであって、気密な材料で作られ、膨脹した形としまい込んだ形とを有するチューブと、
ｂ） 前記チューブの第１及び第２端に配置された第１及び第２透明部材であって、環境中に煙又は微粒子が存在するときに、チューブを通してチューブの一端にある情報源を見ることができる透明部材と、
ｃ） チューブに設けられたフィルターであって、周囲の空気を濾過し、前記膨張した形の前記チューブの内部に清浄な空気を満たすフィルターと、
ｄ）チューブに固定されているフレキシブルな支持部材であって、前記チューブの一端からもう一端に延び、前記チューブを膨張した形にして、周辺の空気を前記フィルターを通して前記チューブ内に引き込み、また前記チューブがしまい込んだ形に折り畳まれる時に折り畳まれる前記フレキシブルな支持部材とを備えることを特徴とする緊急視界確保装置。
【請求項２】
前記フレキシブルな支持部材は、前記チューブを、前記膨張した形とするために膨張させるべく付勢することを特徴とする請求項１記載の緊急視界確保装置。
【請求項３】
ａ） 前記フィルターと直列に配置された一方向バルブを、更に備え、
ｂ） 前記バルブは、一方向において常に開いて前記チューブの中へ空気を送り込み、反対方向において常に閉じて前記チューブの中の空気を保持することを特徴とする請求項１記載の緊急視界確保装置。
【請求項４】
閉鎖可能なポートを前記チューブに設け、
前記チューブが前記しまい込んだ形にされるときに、チューブ内部の空気を排出することを特徴とする請求項１記載の緊急視界確保装置。
【請求項５】
ａ） 情報源を見るための光源と、
ｂ） 前記光源を制御するためのスイッチとをさらに備えることを特徴とする請求項１記載の緊急視界確保装置。
【請求項６】
前記スイッチを、前記チューブの一端に配置することを特徴とする請求項１記載の緊急視界確保装置。
【請求項７】
ａ） 前記しまい込んだ形の前記チューブを収納する小物入れと、
ｂ） 前記チューブを前記小物入れから取り出すときに、前記スイッチをオン状態にする手段とを備えることを特徴とする請求項５記載の緊急視界確保装置。
【請求項８】
ａ） 前記しまい込んだ形の前記チューブを収納する小物入れと、
ｂ） 前記光源に対して直列に配置された第１及び第２スイッチとをさらに備え、
ｃ） 前記第１スイッチは、前記チューブが前記小物入れの中にあるときはオフ状態であり、前記チューブが前記小物入れの外にあるときはオン状態であり、
ｄ） 前記第２スイッチは、常にオン状態であることを特徴とする請求項５記載の緊急視界確保装置。
【請求項９】
前記フレキシブルな支持部材は、バネを含むことを特徴とする請求項２記載の緊急視界確保装置。
【請求項１０】
前記フレキシブルな支持部材は、螺旋バネであることを特徴とする請求項２記載の緊急視界確保装置。
【請求項１１】
前記バネを、前記チューブの内部に配置することを特徴とする請求項９記載の緊急視界確保装置。
【請求項１２】
前記チューブは、円筒状であることを特徴とする請求項１記載の緊急視界確保装置。
【請求項１３】
前記チューブを、気密な織物で作ることを特徴とする請求項１記載の緊急視界確保装置。
【請求項１４】
前記透明部材の材料は、プラスティックであることを特徴とする請求項１記載の緊急視界確保装置。
【請求項１５】
前記フィルターを、前記チューブの一端に配置することを特徴とする請求項１記載の緊急視界確保装置。
【請求項１６】
前記フィルターを、前記チューブと一体化して設けることを特徴とする請求項１記載の緊急視界確保装置。
【請求項１７】
前記チューブの一部を、前記フィルターの材料で作ることを特徴とする請求項１６記載の緊急視界確保装置。
【請求項１８】
前記フィルターは、ＨＥＰＡフィルターであることを特徴とする請求項１記載の緊急視界確保装置。
【請求項１９】
緊急視界確保装置であって、
ａ） 折り畳み可能なチューブであって、気密な材料で作られ、膨脹した形としまい込んだ形とを有し、手動により膨脹した際に周辺の空気を引き込むチューブと、
ｂ） 前記チューブの第１及び第２端に配置された第１及び第２透明部材であって、環境中に煙又は微粒子が存在するときに、チューブを通してチューブの一端にある情報源を見ることができる透明部材と、
ｃ） チューブに設けられたフィルターであって、周囲の空気を濾過し、前記膨張した形の前記チューブの内部に清浄な空気を満たすフィルターと、
ｄ） 前記フィルターと直列に配置された一方向バルブであって、一方向において常に開いて前記チューブの中へ空気を送り込み、反対方向において常に閉じていて前記チューブの中の空気を保持するバルブとを備えることを特徴とする緊急視界確保装置。
【請求項２０】
閉鎖可能なポートを前記チューブに設け、 前記チューブが前記しまい込んだ形にされるときに、チューブ内部の空気を排出することを特徴とする請求項１９記載の緊急視界確保装置。
【請求項２１】
前記バルブは、前記チューブ内部において、前記フィルターを横切るフラップを有することを特徴とする請求項１９記載の緊急視界確保装置。
【請求項２２】
前記フィルターは、ＨＥＰＡフィルターであることを特徴とする請求項１９記載の緊急視界確保装置。
【請求項２３】
前記チューブの材料は、気密な織物であることを特徴とする請求項１９記載の緊急視界確保装置。
【請求項２４】
前記透明部材の材料は、プラスティックであることを特徴とする請求項１９記載の緊急視界確保装置。
【請求項２５】
前記フィルターを、前記チューブの一端に配置することを特徴とする請求項１９記載の緊急視界確保装置。
【請求項２６】
前記フィルターを、前記チューブと一体化して設けることを特徴とする請求項１９記載の緊急視界確保装置。
【請求項２７】
前記チューブを、前記フィルターの材料で作ることを特徴とする請求項１９記載の緊急視界確保装置。
【請求項２８】
前記フィルターは、ＨＥＰＡフィルターであることを特徴とする請求項１９記載の緊急視界確保装置。
【請求項２９】
ａ） 折り畳み可能なチューブであって、気密な材料で作られ、膨脹した形としまい込んだ形とを有し、前記チューブの一部は、周囲の空気を濾過し前記膨張した形の前記チューブの内部に清浄な空気を満たすフィルターの材料で作られたチューブと、 
ｂ） 前記チューブに設けられたフレキシブルな支持部材であって、前記チューブを前記膨張した形にするために膨張させるのに付勢し、前記チューブがしまい込んだ形に折り畳まれる時に折り畳まれるフレキシブルな支持部材と、
ｃ） 前記チューブの第１及び第２端に配置された第１及び第２透明部材であって、環境中に煙又は微粒子が存在するときに、チューブを通してチューブの一端にある情報源を見ることができる透明部材とを備えることを特徴とする緊急視界確保装置。
【請求項３０】
ａ）折り畳み可能なチューブであって、気密な材料で作られ、膨脹した形としまい込んだ形とを有するチューブと、
ｂ）前記チューブの第１及び第２端に配置された第１及び第２透明部材であって、環境中に煙又は微粒子が存在するときに、チューブを通してチューブの一端にある情報源を見ることができる透明部材と、
ｃ） チューブに設けられたフィルターであって、周囲の空気を濾過し、前記膨張した形の前記チューブの内部に清浄な空気を満たすフィルターと、
ｄ）情報源を見るための光源と、
ｅ）前記光源を制御するためのスイッチと、
ｆ）しまい込んだ形の前記チューブを収納する小物入れと、
ｇ）前記チューブが前記小物入れから取り出すときに、前記スイッチをオン状態にする手段とを備えることを特徴とする緊急視界確保装置。
【請求項３１】
ａ）折り畳み可能なチューブであって、気密な材料で作られ、膨脹した形としまい込んだ形とを有するチューブと、
ｂ）前記チューブの第１及び第２端に配置された第１及び第２透明部材であって、環境中に煙又は微粒子が存在するときに、チューブを通してチューブの一端にある情報源を見ることができる透明部材と、
ｃ） チューブに設けられたフィルターであって、周囲の空気を濾過し、前記膨張した形の前記チューブの内部に清浄な空気を満たすフィルターと、
ｄ）情報源を見るための光源と、
ｅ）前記光源を制御するためのスイッチと、
ｆ）しまい込んだ形の前記チューブを収納する小物入れと、
ｇ） 前記光源に対して直列に配置された第１及び第２スイッチとを備え、
ｈ）前記第１スイッチは、前記チューブが前記小物入れの中にあるときはオフ状態であり、前記チューブが前記小物入れの外にあるときはオン状態であり、
ｉ） 前記第２スイッチは、常にオン状態であることを特徴とする緊急視界確保装置。
【請求項３２】
ａ）折り畳み可能なチューブであって、気密な材料で作られ、膨脹した形としまい込んだ形とを有するチューブと、
ｂ）前記チューブの第１及び第２端に配置された第１及び第２透明部材であって、環境中に煙又は微粒子が存在するときに、チューブを通してチューブの一端にある情報源を見ることができる透明部材とを備え、
ｃ）前記チューブの一部がフィルターの材料で作られ、周囲の空気を濾過し、前記膨張した形の前記チューブの内部に清浄な空気を満たすことを特徴とする緊急視界確保装置。
【請求項３３】
ａ）折り畳み可能なチューブであって、気密な材料で作られ、膨脹した形としまい込んだ形とを有し、手動により膨張したり折り畳まれるチューブと、
ｂ）前記チューブの第１及び第２端に配置された第１及び第２透明部材であって、環境中に煙又は微粒子が存在するときに、チューブを通してチューブの一端にある情報源を見ることができる透明部材と、
ｃ） チューブに設けられたフィルターであって、周囲の空気を濾過し、前記膨張した形の前記チューブの内部に清浄な空気を満たすフィルターと、
ｄ） 前記フィルターと直列に配置された一方向バルブであって、一方向において常に開いて前記チューブの中へ空気を送り込み、反対方向において常に閉じていて前記チューブの中の空気を保持するバルブと、
ｅ）前記バルブに含まれるフラップであって、前記チューブ内部において、前記フィルターを横切るフラップとを備えることを特徴とする緊急視界確保装置。